(57)【要約】      （修正有）【課題】組立が簡単で、しっかりと防蚊抗菌及び防水を兼ね備えた防蚊抗菌タイプテントの構造を提供する。【解決手段】主にテント本体１０及び第一ポール２０及び第二ポール２２で構成する防蚊抗菌タイプテントの構造である。全面的に防蚊薬剤及び防水薬剤を具有するファブリックによって構成するテント本体を含み、ファブリックの上に一つのコーティング層を覆う。テント本体に複数個の第一定位部１２１を具有し、且つテント本体の側面に少なくとも一つの開口１４１を具有する。防蚊抗菌タイプテントは更に第一ポール及び第二ポールを含み、第一ポールと第二ポールと複数個の第一定位部を連結することで、交差展開してテント本体を支える。【選択図】図１
0003216559.tif 000002
【実用新案登録請求の範囲】
【請求項１】
テント本体、第一ポール及び第二ポールを含み、
テント本体は全面的に防蚊薬剤及び防水薬剤を具有するファブリックによって構成し、該ファブリックの上に一つのコーティング層を覆い、該テント本体に複数個の第一定位部を具有し、且つ該テント本体の側面に少なくとも一つの開口を具有し、及び、  該第一ポールと該第二ポールと該複数個の第一定位部を連結することで、交差展開して該テント本体を支えることを特徴とする防蚊抗菌タイプテントの構造。
【請求項２】
更に複数個の第二定位部、第一強化ポール及び第二強化ポールを含み、その中、該複数個の第二定位部を該テント本体に連結し、該第一強化ポール及び該第二強化ポールをそれぞれ複数個の第二定位部と連結することで、それぞれ逆Ｕ字型を呈してテント本体の上で対称交差することを特徴とする請求項１記載の防蚊抗菌タイプテントの構造。
【請求項３】
前記該コーティング層にコーティング接着剤を含み、該コーティング接着剤に含まれるのは、ポリウレタンコーティング接着剤、Ｎ、Ｎ−ジメチルホルムアミド、架橋剤及び抗菌剤であることを特徴とする請求項１或いは請求項２記載の防蚊抗菌タイプテントの構造。
【考案の詳細な説明】
【技術分野】
【０００１】
本考案は一種の戸外で使用し、特に抗菌、防蚊防虫効果のある防蚊抗菌タイプテントの構造に関する。
【背景技術】
【０００２】
近年、戸外レジャーイベントのニーズが高まり、キャンプをする人が増え、キャンプ地もこの風潮に合わせてますます多く建設されるようになった。キャンプに欠かすことのできないテントも絶えず新しいものが考案され、現代人が求めるレジャークォリティのニーズに見合う必要がある。
【０００３】
従来のテントは素早く組み立てられるよう、一般的にポールはシンプルなものを使うため、完全防水、防風、堅固のニーズに見合うのは難しい。その他、戸外の湿度が比較的高い環境では、蚊、虫にばい菌が増えやすく、そのような条件の下で行うイベントは、様々なばい菌と蚊、虫に侵害されやすく、感染或いは体の不調を引き起こし、よって人々の身体機能が下がり、多くの悪い結果を招く。大量の防蚊或いは殺菌用品或いは装置を携帯しても、戸外でキャンプする人にとって、非現実的且つ不便である。従来のテントデザインは、防水、防風、堅固さが足りないほか、更に抗菌、防蚊機能のあるデザインはほぼ見当たらない。
【０００４】
それを鑑みて、テントは構造上、堅固で防風できる骨組みデザインを具有すべきであると同時に、戸外の湿度により蚊、虫とばい菌が増えやすい環境に抵抗し、雑多な防蚊或いは殺菌用品に頼らなくとも、抗菌、防蚊の効果を備える必要がある。
しかし、市販のテントは、素早く組み立てられるために、簡単なポールの構造を使用することが多い。或いは防水堅固で防風機能を求めるには、大量の固定部品が必要であるため、組み立てる際に時間と力を費やすことになる。更に防蚊抗菌を追求するとなれば、更に別途多くの用品或いは配備を買い揃えなければならないことを鑑みて、理想的で斬新な構造を案出する必要があった。
【先行技術文献】
【特許文献】
【０００５】
【特許文献１】特開平９−１４４３８３号公報
【考案の概要】
【考案が解決しようとする課題】
【０００６】
前記公知構造の欠点は、１．従来のテントの構造は粗く、有効的に防水、防風及び堅固の機能に達することができない。２．従来のテントの構造が堅固且つ防水防風の製品の大半は煩雑な部品があり、組立が面倒である。３．従来のテントを使用するには、別途防蚊抗菌の製品を組み合わせて初めて防蚊抗菌の目的に達することができる。上記の公知構造の欠点を解決するため、本考案は組立が簡単、更に高い効果が得られると共に、使用が便利と経済性などを考慮した防蚊抗菌タイプテントの構造を提供することを主な課題とする。
【課題を解決するための手段】
【０００７】
上述の目的を解決するために、本考案は防蚊抗菌タイプテントの構造を提供するものである。本考案が問題を解決して得た効果は：１．ポール及び強化ポールの結合設置により、有効的にテントの防風及び堅固さを強化する。２．テントの生地に固定して設置する定位部により、煩雑な部品を使用する必要がなく、簡単にテントを組み立てることができる。３．テントの生地にコーティング層を添加し、有効的に防水の目的に達するほか、更に有効的に防蚊防虫抗菌製剤を結合することで、直接織物を使って防蚊抗菌効果をもたらし、有効的に防蚊抗菌のプロテクトの効果を得る。
【０００８】
本考案が提供する防蚊抗菌タイプのテントに含まれるのは、一つのテント本体及び第一ポール、第二ポールであり、テント本体は全面的に防蚊薬剤及び防水薬剤を具有するファブリックによって構成し、該ファブリックの上に一つのコーティング層を覆う。該テント本体に複数個の第一定位部を具有し、且つ該テント本体の側面に少なくとも一つの開口を具有する。及び、該第一ポールと該第二ポールと該複数個の第一定位部を連結することで、交差展開して該テント本体を支える。
【０００９】
一つの実施例において、本考案の防蚊抗菌タイプテントは、更に複数個の第二定位部、第一強化ポール及び第二強化ポールを含み、その中、該複数個の第二定位部を該テント本体に連結し、該第一強化ポール及び該第二強化ポールをそれぞれ複数個の第二定位部と連結することで、それぞれ逆Ｕ字型を呈してテント本体の上で対称交差する。
【００１０】
更に一つの実施例において、該コーティング層にコーティング接着剤を含み、該コーティング接着剤に含まれるのは、ポリウレタンコーティング接着剤、Ｎ、Ｎ−ジメチルホルムアミド、架橋剤及び抗菌剤である。
【考案の効果】
【００１１】
本考案のポール及び強化ポールの結合設置により、有効的にテントの防風及び堅固さを強化する。また、テントの生地に固定して設置する定位部により、煩雑な部品を使用する必要がなく、簡単にテントを組み立てることができる。更にテントの生地にコーティング層を添加し、有効的に防水の目的に達するほか、有効的に防蚊防虫抗菌製剤を結合することで、直接織物を使って防蚊抗菌効果をもたらし、有効的に防蚊抗菌のプロテクトの効果を得る。
【図面の簡単な説明】
【００１２】
【図１】本考案のテント本体における一つの具体的実施例の略図である。
【図２】本考案のテント本体における一つの具体的実施例の俯瞰図である。
【図３】本考案のファブリックに関する一つの具体的実施例の略図である。
【考案を実施するための形態】
【００１３】
以下、本考案の構造と特徴および効果を、最良実施例と図面を参照しながら詳細に説明する。
【実施例】
【００１４】
図１に示すのは、本考案のテント本体１０における一つ実施例の略図である。防蚊抗菌タイプテントに含まれるのは：テント本体１０であり、それは全面的に防蚊薬剤及び防水薬剤を具有するファブリック３２によって構成する。ファブリック３２の上にコーティング層３４を覆い、テント本体１０の外表面に複数の間隔を開けて排列する連結紐を具有し、該連結紐を第一定位部１２１とする。実施する際、該第一定位部１２１はまた定位用の袋とすることができる。テント本体１０の側面に少なくとも一つの開口１４１を具有し、防蚊抗菌タイプテントは更に第一ポール２０及び第二ポール２２を含む。第一ポール２０と第二ポール２２と複数個の第一定位部１２１は連結し、交差展開してテント本体１０を支える。
【００１５】
図２に示すのは、本考案のテント本体１０における一つの実施例の俯瞰図である。防蚊抗菌タイプテントは更に複数個の第二定位部１４２、１４３、第一強化ポール２４及び第二強化ポール２６を含む。その中、第二定位部１４２、１４３は連結紐であり、または定位用の袋とすることもできる。複数個の第二定位部１４２、１４３をテント本体１０の上に連結し、第一強化ポール２４及び第二強化ポール２６をそれぞれ複数個の第二定位部１４２、１４３と連結し、それぞれ逆Ｕ字型を呈してテント本体１０の上で対称交差する。
【００１６】
図３に示すように、一つの実施状態において、テント本体１０はファブリック３２で構成し、ファブリック３２の上にコーティング層３４を覆う。ファブリック３２は織物定型マシンの中でのパディング過程において、防蚊薬剤を添加して防蚊処理を行う。添加量は織物の重さに対して４〜６％とし、１３０〜１５０℃の条件の下で乾かす。ファブリック３２は織物定型マシンのパディング過程において、防水薬剤を添加して防水処理を行う。添加量は織物の重さに対して４〜６％とし、１４０〜１８０℃の条件の下で乾かす。
【００１７】
その中、テント本体１０のファブリック３２が使用するのはポリエステル繊維（または：ポリエステルと呼ぶ）のチェック柄生地であり、グリーンファーストGreen first（Greenfirstシリーズ製品は、ＢＲＥＹＮＥＲ社の防蚊防虫製品である）のＮＫ−１０天然ゲラニオールの防蚊薬剤及び、フルオロカーボンの防水薬剤を添加使用する。ファブリック３２の上にあるコーティング層３４は、油性のポリウレタンのコーティング接着剤を使用する。その中、コーティング接着剤に含まれるのは、ポリウレタンコーティング接着剤７０〜８０％、Ｎ、Ｎ−ジメチルホルムアミド１０〜２０％、架橋剤５〜８％及抗菌剤０．５〜２％である。
【００１８】
上記ＮＫ１０は一種の純天然植物の抗寄生虫添加剤であり、ＰＲＯＦＹＬ ＮＫ１０は一種の防蚊防虫効果のある添加剤である。ゲラニオールはＮＫ１０仕上げ剤の主な活性物質であり、植物から採取したエキスで、多くの利点を具有し、有効的に生物に分解され、環境及び性能、安全面でも完璧なバランスを保つ。ＮＫ１０の環境有効分解率は９５％であり、Ｏｅｋｏ−Ｔｅｘの認証を得ている。安全且つ環境に優しい防蚊防虫の化学添加剤である。
【００１９】
防蚊防虫処理及び防水処理の二つの行程を行った後、続いて防蚊防虫と防水処理した後のファブリック３２にコーティングを行う。コーティング接着剤の配合は：コーティング層で使用するコーティング接着剤は、常用の溶剤型のポリウレタンコーティング接着剤であり、粘着性がよく、しっかりと生地と架橋反応を行う。溶剤型のポリウレタンコーティング接着剤は、水性のポリウレタンよりも耐久性に優れ、塗布量は１０〜４０ｇ／m2である。
【００２０】
その中、前記の抗菌剤は、カナダトムソン社のUltra-Freshシリーズの抗菌剤を採用する。本考案が採用する抗菌剤の型はUltra-Fresh  ＤＭ−２５であり、それは一種の抗菌、防カビ、防ダニなどの機能を具有する抗菌剤である。アメリカ環境保護庁(ＥＰＡ)の登録と認証を受けている。Ultra-Fresh  ＤＭ−２５は一種の溶剤型キャリアの抗菌剤であり、最良実施例として、抗菌剤は溶剤型ＰＵコーティング、ＰＶＣとスポンジなどの製品に適用する。
【００２１】
架橋剤もまたポリウレタンタイプの架橋剤であり、ＰＵコーティング接着剤との互換性が比較的良く、粘着性も強く、ＰＵコーティング層と繊維は比較的良い結合力を持つのに有利である。塗布した後の織物には、比較的高い水圧に耐える効果を具有し、且つ素晴らしい耐久性を持つ。
Ｎ、Ｎ−ジメチルホルムアミドはＰＵ接着剤を適切な粘着度にまで薄めるためのものである。塗布する過程において、まず一定量の溶剤型ＰＵ接着剤、一定量の防カビ抗菌剤ＤＭ−２５、一定量のＰＵ架橋剤及び一定量のＮ、Ｎ−ジメチルホルムアミドを特別にコーティング層に塗布するためのＰＵ接着剤に調合し、更にナイフコーティングの方法で(一種のコーティング層設備)、調合した接着剤を生地に塗り、更に生地をオーブンの中に入れて乾かすことで、調合した接着剤の中にあるＮ、Ｎ−ジメチルホルムアミドがきれいに蒸発する。一つの最良実施例において、塗布層の数は二から三層とする。
【００２２】
以上の実施例は、本考案の具体的な実施例及び運用する技術手段である。本文の掲示或いは方法により多くの変更及び修正を行うことができ、これらの変更および調整を行っても本考案の重要な意義は失われず、本考案の範囲に含まれる。
【符号の説明】
【００２３】
１０  テント本体
１２１  第一定位部
１４１  開口
１４２、１４３  第二定位部
２０  第一ポール
２２  第二ポール
２４  第一強化ポール
２６  第二強化ポール
３２  ファブリック
３４  コーティング層
【図１】
0003216559.tif 000003
【図２】
0003216559.tif 000004
【図３】
0003216559.tif 000005